(57)【要約】【課題】吊持対象を１本のワイヤーで吊持する構造でありながら、吊持対象を大きな前傾姿勢になることもなく、かつ安定した状態で体裁良く吊持できる吊持構造を提供する。【解決手段】ワイヤー１で吊持される吊具体２と、吊持対象Ｆに固定されるフック枠３と、吊持対象Ｆに装着されて吊持対象Ｆと壁面との間隔を規定する複数個の規制体４とからなる。吊具体２は、ボールチャック７と、ボールチャック７に固定されるフック８とからなる。フック枠３には、フック８を掛止するための掛止部２８を設ける。以て、吊持対象Ｆを吊具体２で吊持した状態において、壁面に接当する複数個の規制体４で吊持対象Ｆの揺れ動きを規制する。【選択図】図１
2008057753.tif 000002
【特許請求の範囲】
【請求項１】
壁面に沿ってワイヤー（１）で吊持される吊具体（２）と、吊持対象（Ｆ）に固定されるフック枠（３）と、吊持対象（Ｆ）に着脱可能に装着されて吊持対象（Ｆ）と壁面との間隔を規定する複数個の規制体（４）とからなり、
吊具体（２）は、ワイヤー（１）の上下方向の任意位置に固定できるボールチャック（７）と、ボールチャック（７）の下部に固定されるフック（８）とからなり、
フック枠（３）には、フック（８）を掛止するための掛止部（２８）が設けられており、
吊持対象（Ｆ）を吊具体（２）で吊持した状態において、壁面に接当する複数個の規制体（４）で吊持対象（Ｆ）の揺れ動きを規制できる吊持構造。
【請求項２】
規制体（４）が、吊持対象（Ｆ）に固定される磁気吸着可能な吸着ベース（３３）と、吸着ベース（３３）に着脱される磁石（３４）と、磁石（３４）に固定されて壁面に接当する規制軸（３５）とで構成してある請求項１記載の吊持構造。
【請求項３】
規制軸（３５）が、磁石（３４）に固定されるねじ軸（３６）と、ねじ軸（３６）にねじ込み連結される接当体（３８）とを含んで構成されており、
接当体（３８）のねじ軸（３６）に対するねじ込み量を調整することにより、吊持対象（Ｆ）と壁面との間隔寸法を変更できる請求項２記載の吊持構造。
【請求項４】
フック枠（３）の掛止部（２８）とフック（８）との接合面に、互いに係合して横方向の吊持位置を変更調整する調整機構が設けられており、
調整機構が突起（３０）と調整溝（２３）とで構成してある請求項１、２または３記載の吊持構造。
【発明の詳細な説明】
【技術分野】
【０００１】
本発明は、額装された絵画や装飾用のパネルなどの吊持対象を壁面等に沿って吊持するための吊持構造に関する。
【背景技術】
【０００２】
この種の吊持構造は例えば特許文献１に公知である。そこでは、ワイヤーおよびボールチャックと、ボールチャックのケースにねじ込まれる釣針形のフックとで吊持構造を構成しており、例えば吊持対象の裏面に固定した吊紐をフックに直接掛止して、吊持対象を吊持する。同様の吊持構造は特許文献２にもみることができる。
【０００３】
【特許文献１】実公平７−５２４０４号公報（第２頁右欄５〜１４行、第３図）
【特許文献２】実開平７−２８４６９号公報（段落番号００１１、図２）
【発明の開示】
【発明が解決しようとする課題】
【０００４】
上記のように従来の吊持構造においては、吊持対象の裏面に固定した吊紐の中央位置をフックで吊持するが、吊持状態における吊位置が吊持対象の重心位置より上後方となるため、吊持された吊持対象が前傾姿勢になるのを避けられない。詳しくは、吊持対象の下縁が壁面で受け止められた状態で、上縁が壁面から大きく離れた姿勢になる。また、１本のワイヤーで複数個の吊持対象を多段状に吊持する場合には、下端の吊持対象が先のような前傾姿勢となり、重量にもよるが残る上段側の吊持対象の下縁中央がワイヤーで受け止められるため、複数個の吊持対象の吊持姿勢や向きが不揃いになるのを避けられない。
【０００５】
上記のように、吊持対象の下縁中央が１本のワイヤーで支持される状態では、他物が当るなど外力が作用すると吊持対象が揺れ動き、あるいは吊持対象が前傾姿勢のまま左右いずれかへ傾くなど、吊持対象を安定した状態で吊持できない。２本のワイヤーで吊持対象の側面上部を吊持すると、吊持対象を壁面とほぼ平行に吊持できるが、２組の吊持構造が必要となる分だけコストが嵩む。さらに、吊持部分を中心にして吊持対象が前後に揺れ動く。
【０００６】
本発明の目的は、吊持対象を１本のワイヤーで吊持する吊持構造でありながら、吊持対象を大きな前傾姿勢になることもなく、しかも安定した状態で体裁良く吊持できる吊持構造を提供することにある。本発明の目的は、吊持対象を１本のワイヤーで吊持する吊持構造でありながら、吊持対象を壁面と平行に、しかも安定した状態で体裁良く吊持できる吊持構造を提供することにある。
【課題を解決するための手段】
【０００７】
本発明の吊持構造は、壁面に沿ってワイヤー１で吊持される吊具体２と、吊持対象Ｆに固定されるフック枠３と、吊持対象Ｆに着脱可能に装着されて吊持対象Ｆと壁面との間隔を規定する複数個の規制体４とからなる。吊具体２は、ワイヤー１の上下方向の任意位置に固定できるボールチャック７と、ボールチャック７の下部に固定されるフック８とからなる。フック枠３には、フック８を掛止するための掛止部２８を設ける。以て、吊持対象Ｆを吊具体２で吊持した状態において、壁面に接当する複数個の規制体４で吊持対象Ｆの揺れ動きを規制する。
【０００８】
規制体４は、吊持対象Ｆに固定される磁気吸着可能な吸着ベース３３と、吸着ベース３３に着脱される磁石３４と、磁石３４に固定されて壁面に接当する規制軸３５とで構成する。
【０００９】
規制軸３５は、磁石３４に固定されるねじ軸３６と、ねじ軸３６にねじ込み連結される接当体３８とを含んで構成する。以て、接当体３８のねじ軸３６に対するねじ込み量を調整することにより、吊持対象Ｆと壁面との間隔寸法を変更できるようにする。
【００１０】
フック枠３の掛止部２８とフック８との接合面に、互いに係合して横方向の吊持位置を変更調整する調整機構を設ける。調整機構は突起３０と調整溝２３とで構成する。
【発明の効果】
【００１１】
本発明においては、ワイヤー１および吊具体２と、吊持対象Ｆに固定されるフック枠３と、吊持対象Ｆに装着される複数個の規制体４などで吊持構造を構成し、フック枠３の掛止部２８に吊具体２のフック８を掛止することにより吊持対象Ｆを吊持できるようにした。さらに、吊持対象Ｆを吊具体２で吊持した状態において、壁面と接当する規制体４によって吊持対象Ｆが揺れ動くのを規制できるようにするので、１本のワイヤー１で吊持しているにもかかわらず、吊持対象Ｆを常に安定した状態で体裁良く吊持できる。２本のワイヤーで吊持対象Ｆを支持する場合に比べて、吊持構造の全体構成を簡素化して、吊持対象Ｆをより低コストで安定的に支持できる。図５に示すように、複数個の吊持対象Ｆを１本のワイヤーで多段状に吊持する場合でも、各吊持対象Ｆを安定した姿勢でしかも体裁良く吊持できる。
【００１２】
吸着ベース３３と、吸着ベース３３に着脱される磁石３４と、磁石３４に固定される規制軸３５とで構成した規制体４によれば、吊持対象Ｆの大きさや重さなどに応じて、吸着ベース３３および規制体４の装着位置を自由に変更して、吊持対象Ｆの吊持姿勢を使用者の好みに応じて種々に変更でき、しかも安定した状態で吊持対象Ｆを支持できる。吊持対象Ｆは、必要に応じて壁面と平行に、あるいは僅かに前傾する姿勢で支持できる。また、季節の変化に応じて吊持対象Ｆを交換使用するような場合に、磁石３４および規制軸３５を吸着ベース３３から取り外しておくことにより、次の使用機会がくるまで吊持対象Ｆを収納保存するのに必要な収納スペースを最小限化できる。
【００１３】
磁石３４に固定したねじ軸３６と、ねじ軸３６にねじ込み連結される接当体３８などで規制軸３５を構成すると、接当体３８のねじ軸３６に対するねじ込み量を調整することにより、規制軸３５の全長寸法を大小に変更して、吊持対象Ｆと壁面との間隔寸法を変更でき、吊持対象Ｆの大きさや重さに応じて吊持対象Ｆの吊持姿勢を使用者の好みに応じて種々に変更できる。
【００１４】
フック枠３の掛止部２８とフック８との接合面に、突起３０と調整溝２３とからなる調整機構を設けた吊持構造によれば、横方向の吊持位置を変更調整することにより吊持対象Ｆの左右方向の傾きを修正して、吊持対象Ｆを常に体裁良く吊持できる。
【発明を実施するための最良の形態】
【００１５】
（実施例）  図１ないし図６は本発明に係る吊持構造の実施例を示す。図１および図２において吊持構造は、壁面に沿って１本のワイヤー１で吊持される吊具体２と、吊持対象Ｆに固定されるフック枠３と、吊持対象Ｆに着脱可能に装着される規制体４とで構成する。
【００１６】
吊具体２は、ワイヤー１の上下方向の任意位置に固定できるボールチャック７と、ボールチャック７の下部に固定されるフック８とで構成する。図１に示すようにボールチャック７は、ステンレス製のケース１０と、ケース１０内に収容されるホルダー１１と、ホルダー１１で位置保持される３個のボール１２と、ホルダー１１を押し上げ付勢するばね１３と、ケース１０の下面開口にねじ込み装着されてばね１３の下端を受け止めるキャップ１４などで構成する。
【００１７】
ケース１０は上下端が開口する筒体からなり、その内面に上すぼまり状のテーパー壁１６と、テーパー壁１６の大径端に連続する筒穴と、テーパー壁１６の小径端に連通する操作穴を備えている。ホルダー１１には、その軸心に沿うワイヤー１用の挿通穴１７と、ボール１２を保持する３個のボール穴１８とが互いに直交する状態で形成してある。ボール穴１８にボール１２を装填した状態で、ホルダー１１をケース１０に装填し、ばね１３を組み込んだ後、キャップ１４をケース１０にねじ込むことにより、ボールチャック７を完成できる。
【００１８】
上記の組み付け状態において、ホルダー１１の上端の操作部１９はケース１０の操作穴から上部外面に突出している。また、ホルダー１１全体がばね１３で押し上げられる結果、各ボール１２はテーパー壁１６でホルダー１１中心へ向かって押し付けられて、ワイヤー１を挟持固定している。操作部１９をばね１３の付勢力に抗してケース１０内方へ押し込むと、ボール１２による挟持作用が解除されるので、ボールチャック７をワイヤー１の上下方向の任意位置に移動させて固定できる。
【００１９】
図３に示すように、フック８は横長長方形状の掛止壁２１と、掛止壁２１の下端に連続して横向きに折り曲げられる三角形状のベース壁２２とを一体に備えた、ステンレス板材を素材とする断面Ｌ字状のプレス金具からなる。掛止壁２１には、その上縁を開口始端とする逆Ｔ字状の調整溝２３が形成され、掛止壁２１の下端寄りの左右に一対の突起２４が膨出形成してある。この突起２４は、吊持対象Ｆに固定したフック枠３がフック８に対して傾斜するのを規制するために設けてある。調整溝２３は縦溝２３ａと横溝２３ｂとで構成してあり、縦溝２３ａの開口端には後述する突起３０を係合案内する四分円状の導入案内面２３ｃが形成してある。
【００２０】
図１に示すように、ベース壁２１を筒形リベット２５でキャップ１４の底壁に固定することにより、フック８をボールチャック７と一体化できる。ワイヤー１は筒形リベット２５の筒穴を貫通して下方へ垂下される。この組付け状態において、掛止壁２１はケース１０の周面と僅かな隙間を介して対向しており、突起２４はケース１０の側へ向かって膨出している。掛止壁２１の上端は、ケース１０の上端より上方に位置している。
【００２１】
フック枠３は、左右両側の装着座２７と、両装着座２７の間に膨出形成される掛止部２８とを一体に備えた横一文字状のプレス金具からなり、磁気吸着可能な鋼板を素材にして形成する。図２に示すように、各装着座２７の掛止部２８寄りの面壁を、吊持対象Ｆの背面壁にビス（ねじ）２９で締結固定することにより、フック枠３が吊持対象Ｆと一体化される。この固定状態において掛止部２８と吊持対象Ｆの背面壁との間に、先の掛止壁２１を差し込み掛止するための隙間Ｅが形成される。
【００２２】
ビス２９の締結個所より側端側に位置する装着座２７の面壁は、吸着ベース３３として利用される。掛止部２８を形成する面壁の中央には、先に説明した調整溝２３と係合する突起３０が吊持対象Ｆの側へ向かって膨出形成してある。調整溝２３と突起３０との両者によって、吊持対象Ｆの横方向の吊持位置を変更調整する調整機構を構成している。
【００２３】
図２に示すように規制体４は、吊持対象Ｆに固定される磁気吸着可能な吸着ベース３３と、吸着ベース３３に対して着脱されるリング状の磁石３４と、磁石３４に固定される規制軸３５とで構成する。規制軸３５は、磁石３４のリング穴に挿通される皿ビス（ねじ軸）３６と、磁石３４を間に挟んで皿ビス３６にねじ込まれるナット体３７と、皿ビス３６にねじ込み連結される接当体３８と、ナット体３７と接当体３８との間に配置される圧縮コイル形のばね３９とで構成する。
【００２４】
接当体３８は、軸部４２と、軸部４２より大径の操作部４３とを一体に備えた旋削金具からなり、その内部には皿ビス３６にねじ込まれるねじ穴４４が貫通状に形成してある。ばね３９は、接当体３８を任意のねじ込み位置で回転不能に固定保持するために設けられており、その両端はナット体３７および軸部４２に形成したばね受穴で受け止められている。
【００２５】
吊持構造を使用する場合には、予め吊持対象Ｆの裏面上部にフック枠３をビス２９で固定し、さらに吸着ベース３３に磁石３４を吸着させて規制軸３５を後向きに突出させておく。ワイヤー１は、例えば図５に示すようにスライドレール４６に装填したランナー４７から垂下しておく。このワイヤー１の下端をボールチャック７に挿通して、ボールチャック７の位置を上下方向へスライド調整することにより、吊持対象Ｆの吊り高さを調整する。この状態でフック８をフック枠３の掛止部２８に下方から差し込み、突起３０を調整溝２３に係合させて吊持対象Ｆを吊具体２で吊り下げ支持する。
【００２６】
上記の吊持状態において、ワイヤー１の吊持中心は吊持対象Ｆの重心位置より寸法Ｌ分だけ壁面側に位置している（図２参照）。そのため、吊持対象Ｆの全体は、その下縁が壁面に受け止められ、さらに、図１に示すように左右の規制軸３５の突端が壁面に接当する状態で支持される。つまり、吊持対象Ｆは、その上縁が規制軸３５の突出寸法分だけ僅かに前傾した状態で壁面に受け止められ、その重量はフック枠３とフック８とボールチャック７を介してワイヤー１で支持される。
【００２７】
吊持対象Ｆの姿勢を調整する場合には、規制軸３５を吸着ベース３３から取り外し、接当体３８の皿ビス３６に対するねじ込み量を調整する。これにより、規制軸３５の突出寸法を大小に変更でき、磁石３４を吸着ベース３３に再吸着することにより吊持対象Ｆと壁面との間隔寸法を変更できる。もちろん、規制軸３５の突出寸法は予め調整しておいてもよい。
【００２８】
吊持状態においては図４に示すように、フック枠３に設けた突起３０がフック８の調整溝２３と係合して、その横溝２３ｂの溝下縁で受け止められている。多くの場合は、横溝２３ｂの左右中央で突起３０を支持することにより、吊持対象Ｆを左右に傾くことなく水平に支持できる。しかし、横溝２３ｂの左右中央で突起３０を支持しているにもかかわらず、吊持対象Ｆが左右いずれかへ傾いている場合には、吊持対象Ｆの位置を左右いずれかへずらすことにより、吊持対象Ｆを水平姿勢に修正できる。調整機構による左右調整は、横溝２３ｂの左右長さの範囲内で変更調整できる。
【００２９】
上記のように、比較的小形の吊持対象Ｆを吊持する場合には、先のフック枠３に設けた装着座２７の面壁の端部を吸着ベース３３として利用するが、大形の吊持対象Ｆや幅寸法が大きな吊持対象Ｆなどを吊持する場合には、吸着ベース３３を独立部品として形成し、必要な個所に規制体４を吸着固定することができる。
【００３０】
例えば、図５の最上段の吊持対象Ｆにおいては、吸着ベース３３を吊持対象Ｆの上端両側の裏面に配置して、規制体４を吸着ベース３３に固定している。この場合には、吊持対象Ｆを僅かに前傾した状態で支持して、吊持対象Ｆがワイヤー１の回りに揺動くのを確実に防止できる。また、図５の最下段の吊持対象Ｆにおいては、吸着ベース３３を吊持対象Ｆの下端両側の裏面に配置して、規制体４を吸着ベース３３に固定している。この場合には、吊持対象Ｆを壁面と平行に支持できる。吸着ベース３３は、磁気吸着可能な鋼板を円形に打ち抜いて形成し、図６に示すように両面テープ４９を用いて吊持対象Ｆに貼付固定してある。必要があれば、３個以上の規制体４で吊持対象Ｆを壁面と平行に支持することができる。
【００３１】
図７は吊持構造の別実施例を示す。そこでは、フック８における調整溝２３、突起２４、およびフック枠３における突起３０をそれぞれ省略して、フック枠３をフック８に掛止した状態において、掛止部２８の下縁をベース壁２２で受け止めるようにした。この実施例では、フック枠３とフック８を相対移動操作することにより、吊持対象Ｆの左右方向の傾きを修正できる。また、調整溝２３や突起２４などを省略する分だけ、吊持構造を簡素化してコストを削減できる。他は先の実施例と同じであるので、同じ部材に同じ符号を付してその説明を省略する。
【００３２】
上記の実施例では、規制体４を吸着ベース３３、磁石３４、規制軸３５の三者で構成したがその必要はなく、吸着ベース３３および磁石３４は省略することができる。その場合には、規制軸３５を吊持対象Ｆに対してねじで固定し、あるいは規制軸３５を吊持対象Ｆに予め形成しておいた穴や溝などに圧嵌係合して固定することができる。規制軸３５は長さ調整できる構造であることが好ましいが、一定長さの軸体で構成することができる。規制軸３５は必要に応じてプラスチック成形品で形成することができる。
【図面の簡単な説明】
【００３３】
【図１】吊持構造を示す縦断側面図である。
【図２】図１におけるＡ−Ａ線断面図である。
【図３】吊持構造の分解斜視図である。
【図４】図１におけるＢ−Ｂ線断面図である。
【図５】吊持構造の使用例を示す正面図である。
【図６】図５におけるＣ−Ｃ線断面図である。
【図７】吊持構造の別実施例を示す背面図である。
【符号の説明】
【００３４】
１  ワイヤー
２  吊具体
３  フック枠
４  規制体
７  ボールチャック
８  フック
２８  掛止具
Ｆ  吊持対象
【図１】
2008057753.tif 000003
【図２】
2008057753.tif 000004
【図３】
2008057753.tif 000005
【図４】
2008057753.tif 000006
【図５】
2008057753.tif 000007
【図６】
2008057753.tif 000008
【図７】
2008057753.tif 000009